(57)【要約】【課題】穿刺針を含む血液測定用チップを装着することにより、該穿刺針を送り出す際の穿刺機構の付勢力を簡便且つ確実にチャージする。【解決手段】穿刺針１８を有する血液測定用チップ２０には、当接部１４２を覆うキャップ１６４が装着され、前記キャップ１６４には前記血液測定用チップ２０が装着されるケーシング１２側に向かって延在する押圧ピン１６８が設けられている。この血液測定用チップ２０をケーシング１２内のブロック部１６に装着する際、前記押圧ピン１６８によって一組のガイドスプリング６２を圧縮しながらスライドシャフト８６及びホルダ６４が変位し、前記ホルダ６４が係止部材９２によって係止される。【選択図】図１１
2007259954.tif 000002
【特許請求の範囲】
【請求項１】
ハウジング内に軸線方向に進退可能な穿刺針を備えた穿刺針チップを装着して用いる穿刺装置において、
ケーシングと、
前記ケーシング内に変位自在に設けられ、前記穿刺針を保持する穿刺ユニットと、
前記穿刺ユニットを皮膚の穿刺箇所に向かって移動させるための付勢力を蓄える付勢手段とを有し、
前記穿刺針チップが、前記皮膚の穿刺箇所の周囲に当接するための当接部と、該当接部を覆うカバー部及び該カバー部から前記ケーシング側に向かって延在する軸部を有するキャップと、
を備え、
前記キャップを備えた穿刺針チップを前記ケーシングに装着する際、前記キャップの軸部が前記穿刺ユニットを押圧することによって前記付勢手段がチャージされることを特徴とする穿刺装置。
【請求項２】
請求項１記載の穿刺装置において、
前記ケーシング内に変位自在に設けられ、前記穿刺ユニットに当接し得る変位部材を有し、前記キャップを備えた穿刺針チップを前記ケーシングに装着する際、前記キャップの軸部が前記変位部材を押圧し、さらに該変位部材が前記穿刺ユニットを押圧することによって前記付勢手段がチャージされることを特徴とする穿刺装置。
【請求項３】
請求項１又は２記載の穿刺装置において、
前記付勢手段がチャージされた状態で、前記穿刺ユニット又は前記変位部材を係止する係止手段と、
前記係止手段の係止状態を解除するリリース手段と、
を有することを特徴とする穿刺装置。
【請求項４】
ハウジング内に軸線方向に進退可能な穿刺針を備えた血液測定用チップを装着して用いる血液成分測定装置において、
ケーシングと、
前記ケーシング内に変位自在に設けられ、前記穿刺針を保持する穿刺ユニットと、
前記穿刺ユニットを皮膚の穿刺箇所に向かって変位させるための付勢力を蓄える第１付勢手段とを有し、
前記血液測定用チップが、前記皮膚の穿刺箇所の周囲に当接するための当接部と、該当接部を覆うカバー部及び該カバー部から前記ケーシング側に向かって延在する軸部を有するキャップとを備え、
前記キャップを備えた血液測定用チップを前記ケーシングに装着する際、前記キャップの軸部が前記穿刺ユニットを押圧することによって前記第１付勢手段がチャージされることを特徴とする血液成分測定装置。
【請求項５】
請求項４記載の血液成分測定装置において、
前記ケーシング内に変位自在に設けられ、前記穿刺ユニットに係合し得る変位部材を有し、
前記キャップを備えた血液測定用チップを前記ケーシングに装着する際、前記キャップの軸部が前記変位部材を押圧し、さらに該変位部材が前記穿刺ユニットを押圧することによって前記第１付勢手段がチャージされることを特徴とする血液成分測定装置。
【請求項６】
請求項４又は５記載の血液成分測定装置において、
前記第１付勢手段がチャージされた状態で、前記穿刺ユニット又は前記変位部材を係止する係止手段と、
前記係止手段の係止状態を解除するリリース手段と、
を有することを特徴とする血液成分測定装置。
【請求項７】
請求項４〜６のいずれか１項に記載の血液成分測定装置において、
前記キャップを備えた血液測定用チップを前記ケーシングに装着する際、前記キャップの軸部が、前記変位部材を介して複数の付勢手段をチャージすることを特徴とする血液成分測定装置。
【請求項８】
請求項４〜７のいずれか１項に記載の血液成分測定装置において、
前記血液測定用チップが、血液成分に反応する試薬部と該試薬部へ血液を導くための血液導入部とを有し、
前記第１付勢手段によって皮膚を穿刺した後、前記血液導入部を穿刺箇所に接近させるために、前記血液導入部に対する前記当接部の変位が規制された状態を解除する解除機構と、
該当接部の変位規制手段を解除する解除機構を作動させるための付勢力を蓄える第２付勢手段と、
を備え、
前記キャップを備えた血液測定用チップを前記ケーシングに装着する際、前記第１付勢手段及び第２付勢手段が同時にチャージされることを特徴とする血液成分測定装置。
【請求項９】
請求項４〜８のいずれか１項に記載の血液成分測定装置において、
前記血液測定用チップは、前記キャップのカバー部が前記ハウジングの一端部の開口を封止し、前記穿刺針を保持するハブの拡径部が前記ハウジングの内面に周接することで、前記ハウジング内に前記穿刺針が滅菌状態で封止されていることを特徴とする血液成分測定装置。
【発明の詳細な説明】
【技術分野】
【０００１】
本発明は、血液中のブドウ糖等の成分を測定するための穿刺装置及び血液成分測定装置に関し、一層詳細には、軸線方向に進退可能な穿刺針を有する穿刺針チップや血液測定用チップが組み込まれた穿刺装置及び血液成分測定装置に関する。
【背景技術】
【０００２】
近年、糖尿病患者には、血糖値の変動を自分自身で測定することによる日常的な自己管理が推奨されている。この血糖値の測定のために、例えば、血液中のブドウ糖量に応じて呈色する試薬が含浸された試験紙を装着し、該試験紙に血液を供給して呈色させ、その呈色の度合いを光学的に測定し、数値として血糖値を表示する血液成分測定装置が実用化されている。また、電気化学センサを用いた血液成分測定装置も実用化されている。患者が自分の血液を採取する際には、軸線方向に進退可能な穿刺針を備え、該穿刺針に対して弾性体による反発力を与えて瞬間的に突出させて皮膚を穿刺する穿刺具を使用することにより微量の血液を導出させる。なお、穿刺針チップは、衛生上の理由から測定を行うたびに交換される。
【０００３】
また、血液採取に用いる穿刺針チップに試験紙等の測定部材を一体的に設け、血液成分測定装置に装着して測定を行うことにより、穿刺工程と測定工程とを自動的且つ連続的に行う装置が開発されている。
【０００４】
例えば、この測定部材を有する一体型チップを装着する際、その押圧力を利用して、前記穿刺工程を行うための駆動力をチャージするように構成された血液成分測定装置が知られている。
【０００５】
このような血液成分測定装置は、図２２に示されるように、針１を有するランセット２が、センサ３の内部に変位自在に設けられ、このセンサ３のカバー３ａから外部に突出した前記針１に対して保護カバー４が装着される。そして、この針１は、保護カバー４に形成された筒状のチューブ４ａによって覆われて保護されている。
【０００６】
図２３に示されるように、このセンサ３を測定装置５に装着する場合には、測定者が保護カバー４を把持しながら前記センサ３を前記測定装置５の装着口５ａに挿入し、前記測定装置５の内部に向かって押圧することにより、前記センサ３の端部が前記測定装置５内に設けられたコネクタ受け６の凹部６ａに挿入される（なお、図２３では、保護カバー２４は省略されている）。この際、コネクタ受け６は、コイルバネ７を圧縮させながら変位している。
【０００７】
そして、コネクタ受け６の上部に設けられたテーパ状突起６ｂが、測定装置５に設けられたテーパ状突起５ｂに係合されることにより、前記コイルバネ７が圧縮された状態で前記コネクタ受け６及び該コネクタ受け６に保持されたセンサ３の変位が規制される。この圧縮されたコイルバネ７の弾発力が、針１を含むセンサ３を測定者側に向かって押し出す際の駆動力として機能する（例えば、特許文献１参照）。
【０００８】
【特許文献１】国際公開第０２／０５６７６９号パンフレット
【発明の開示】
【発明が解決しようとする課題】
【０００９】
ところで、特許文献１に係る従来技術においては、保護カバー４を把持してセンサ３を測定装置５に装着する構成としているため、前記センサ３は、保護カバー４の細いチューブ４ａを介して押圧されることとなる。そのため、保護カバー４からの押圧力をセンサ３に対して効率的に付与することが困難となり、前記センサ３を測定装置５のコネクタ受け６に対して所望の押圧力で装着できない懸念がある。
【００１０】
また、保護カバー４は使用時に取り外せるように、ランセット２との接合部が脆弱にできており、保護カバー４に押圧力が付与された時に、チューブ４ａの軸方向に少しでも不均一に力が加わると、前記接合部を基点としてチューブ４ａが曲がる可能性がある。すなわち、センサ３を測定装置５に装着する際、チューブ４ａに内包された針１に曲がりが生じることが懸念され、このように曲がった針１での穿刺は使用者にとって痛みの増大につながることとなる。
【００１１】
本発明は、前記の課題を考慮してなされたものであり、穿刺針を含む穿刺針チップや血液測定用チップを装着することにより、該穿刺針を送り出す際の穿刺機構に対する付勢力を確実且つ簡便に蓄えることが可能な穿刺装置及び血液成分測定装置を提供することを目的とする。
【課題を解決するための手段】
【００１２】
前記の目的を達成するために、本発明は、ハウジング内に軸線方向に進退可能な穿刺針を備えた穿刺針チップを装着して用いる穿刺装置において、
ケーシングと、
前記ケーシング内に変位自在に設けられ、前記穿刺針を保持する穿刺ユニットと、
前記穿刺ユニットを皮膚の穿刺箇所に向かって移動させるための付勢力を蓄える付勢手段とを有し、
前記穿刺針チップが、前記皮膚の穿刺箇所の周囲に当接するための当接部と、該当接部を覆うカバー部及び該カバー部から前記ケーシング側に向かって延在する軸部を有するキャップと、
を備え、
前記キャップを備えた穿刺針チップを前記ケーシングに装着する際、前記キャップの軸部が前記穿刺ユニットを押圧することによって前記付勢手段がチャージされることを特徴とする。
【００１３】
本発明によれば、穿刺針を保持する穿刺ユニットが、付勢手段の付勢作用下に皮膚の穿刺箇所に向かって移動可能に設けられ、穿刺針チップをケーシングに装着することにより、該穿刺針チップに装着されたキャップの軸部を介して穿刺ユニットが押圧されて付勢手段で付勢力がチャージされる。
【００１４】
従って、穿刺針チップをケーシングに装着する際の押圧力を利用し、該穿刺針チップを装着するという簡便な作業で、穿刺ユニットを皮膚の穿刺箇所に向かって移動させる際の付勢力を付勢手段において確実且つ容易に蓄えることができる。また、付勢手段をチャージするキャップを、穿刺針を含む穿刺針チップとは別個の構成としているため、前記キャップを介して付勢力を蓄える際に、前記穿刺針チップからの押圧力が前記穿刺針に対して付与されることがない。そのため、穿刺装置において穿刺針の曲がり等が生じることがなく、確実且つ安全に測定者の穿刺を行うことができる。
【００１５】
さらに、穿刺針チップの使用時にキャップが取り外されるので、使用後に前記キャップが取り外された前記穿刺針チップを、穿刺装置に対して再び装着しても付勢手段をチャージすることができず、使用済みチップの再使用を防止することができる。
【００１６】
さらにまた、ケーシング内に変位自在に設けられ、穿刺ユニットに当接し得る変位部材を有し、キャップを備えた穿刺針チップをケーシングに装着する際、前記キャップの軸部が変位部材を押圧し、さらに該変位部材が前記穿刺ユニットを押圧することによって付勢手段をチャージさせるとよい。すなわち、キャップを備えた穿刺針チップをケーシングに装着させることにより、変位部材を介して穿刺ユニットを付勢可能な付勢手段のチャージを簡便に行うことができる。
【００１７】
さらにまた、付勢手段がチャージされた状態で穿刺ユニット又は変位部材を係止する係止手段と、前記係止手段の係止状態を解除するリリース手段とを有することにより、付勢力が付勢されている穿刺ユニット又は変位部材の係止状態を前記リリース手段によって簡便に解除し、前記付勢手段による付勢作用下に前記穿刺ユニット又は変位部材を皮膚の穿刺箇所に向かって移動させることができる。
【００１８】
またさらに、本発明は、ハウジング内に軸線方向に進退可能な穿刺針を備えた血液測定用チップを装着して用いる血液成分測定装置において、
ケーシングと、
前記ケーシング内に変位自在に設けられ、前記穿刺針を保持する穿刺ユニットと、
前記穿刺ユニットを皮膚の穿刺箇所に向かって変位させるための付勢力を蓄える第１付勢手段とを有し、
前記血液測定用チップが、前記皮膚の穿刺箇所の周囲に当接するための当接部と、該当接部を覆うカバー部及び該カバー部から前記ケーシング側に向かって延在する軸部を有するキャップとを備え、
前記キャップを備えた血液測定用チップを前記ケーシングに装着する際、前記キャップの軸部が前記穿刺ユニットを押圧することによって前記第１付勢手段がチャージされることを特徴とする。
【００１９】
本発明によれば、穿刺針を保持する穿刺ユニットが、第１付勢手段の付勢作用下に皮膚の穿刺箇所に向かって変位可能に設けられ、血液測定用チップをケーシングに装着することにより、該血液測定用チップに装着されたキャップの軸部を介して穿針ユニットが押圧されて第１付勢手段で付勢力がチャージされる。
【００２０】
従って、血液測定用チップをケーシングに装着する際の押圧力を利用し、該血液測定用チップを装着するという簡便な作業で、穿刺ユニットを皮膚の穿刺箇所に向かって変位させる付勢力を第１付勢手段で確実且つ容易に蓄えることができる。また、第１付勢手段を、穿刺針を含む血液測定用チップとは別個の構成としているため、前記第１付勢手段を介して付勢力を蓄える際に、前記血液測定用チップからの押圧力が前記穿刺針に対して付与されることがない。そのため、血液成分測定装置において穿刺針の曲がり等が生じることがなく、確実且つ安全に測定者の穿刺を行うことができる。
【００２１】
さらに、血液測定用チップの使用時にキャップが取り外されるので、使用後に前記キャップが取り外された前記血液測定用チップを、血液成分測定装置に対して再び装着しても第１付勢手段をチャージすることができず、使用済みチップの再使用を防止することができる。
【００２２】
さらにまた、ケーシング内に変位自在に設けられ、穿刺ユニットに係合し得る変位部材を有し、キャップを備えた血液測定用チップを前記ケーシングに装着する際、前記キャップの軸部が前記変位部材を押圧し、さらに該変位部材が前記穿刺ユニットを押圧することによって第１付勢手段をチャージさせるとよい。これにより、キャップの軸部からの押圧力が、穿刺針に伝わることなく直接変位部材へと伝達されるため、前記押圧力を利用して第１付勢手段で付勢力を確実且つ容易にチャージすることができる。
【００２３】
またさらに、第１付勢手段がチャージされた状態で穿刺ユニット又は変位部材を係止する係止手段と、前記係止手段の係止状態を解除するリリース手段とを有することにより、第１付勢手段による付勢力が付勢された穿刺ユニット又は変位部材の係止状態を前記リリース手段によって簡便に解除し、前記第１付勢手段による付勢作用下に前記穿刺ユニット又は変位部材を皮膚の穿刺箇所に向かって変位させることができる。
【００２４】
また、キャップを備えた血液測定用チップをケーシングに装着する際、前記キャップの軸部が、変位部材を介して複数の付勢手段をチャージさせることにより、前記複数の付勢手段をそれぞれ個別にチャージする必要がなく、同時且つ一括してチャージを行うことができる。そのため、穿刺装置や血液成分測定装置に対して複数の付勢手段を設けた場合でも、チャージ作業を効率的に行うことができる。
【００２５】
さらに、血液測定用チップが、血液成分に反応する試薬部と該試薬部へ血液を導くための血液導入部とを有し、第１付勢手段によって皮膚を穿刺した後、前記血液導入部を穿刺箇所に接近させるために、前記血液導入部に対する前記当接部の変位が規制された状態を解除する解除機構と、該当接部の変位規制手段を解除する解除機構を作動させるための付勢力を蓄える第２付勢手段とを備え、前記キャップを備えた血液測定用チップをケーシングに装着する際、前記第１付勢手段及び第２付勢手段を同時にチャージさせるとよい。
【００２６】
これにより、血液測定用チップのキャップをケーシングに対して装着した際、前記キャップの軸部によって第１付勢手段及び第２付勢手段を同時にチャージすることができるため、効率的にチャージ作業を行うことが可能となる。
【００２７】
さらにまた、血液測定用チップは、キャップのカバー部がハウジングの一端部の開口を封止し、穿刺針を保持するハブの拡径部が前記ハウジングの内面に周接することで、前記ハウジング内に前記穿刺針を滅菌状態で封止するとよい。これにより、穿刺針による穿刺が行われるまで該穿刺針の滅菌状態が好適に維持される。
【発明の効果】
【００２８】
本発明によれば、以下の効果が得られる。
【００２９】
すなわち、穿刺針チップ又は血液測定用チップをケーシングに装着する際、該血液測定用チップに設けたキャップの軸部を介して、穿刺ユニットに連結された付勢手段をチャージすることができる。そのため、キャップに加えた押圧力が穿刺針のハブを介さずに直接穿刺ユニットに伝わるので、効率的に前記押圧力が伝達され、確実且つ容易に付勢手段をチャージすることができる。
【００３０】
また、穿刺針に対して応力（押圧力）が懸からない状態でチャージすることが可能であるため、前記応力が伝わる経路上に穿刺針を備えた場合に起こり得る該穿刺針における曲がりや反り等の変形を阻止することができる。
【００３１】
さらに、穿刺針チップ又は血液測定用チップは、その使用時においてキャップが取り外されるので、使用後に前記キャップが取り外された穿刺針チップ又は血液測定用チップを、穿刺装置や血液成分測定装置に対して再度装着しても付勢手段をチャージすることができないため、使用済みチップの再使用を防止することができる。
【００３２】
さらにまた、血液測定用チップのキャップに設けた軸部は、皮膚を穿刺するための付勢手段及び他の付勢手段を同時にチャージすることができるため、それぞれの付勢手段を個別にチャージする手間が省けて使い勝手を向上させることができ、穿刺装置や血液成分測定装置に複数種の機能を付与できる可能性が広がることとなる。
【発明を実施するための最良の形態】
【００３３】
本発明に係る穿刺装置及び血液成分測定装置について好適な実施の形態を挙げ、添付の図面を参照しながら以下詳細に説明する。
【００３４】
図１において、参照符号１０は、本発明の実施の形態に係る血液成分測定装置を示す。なお、本実施の形態に係る血液成分測定装置１０は、血液中のブドウ糖等の成分又はその成分量（以下、血糖値という）を測定するものである。
【００３５】
この血液成分測定装置１０は、図１〜図５に示されるように、ケーシング１２と、該ケーシング１２内にハウジング１４を介して配設されるブロック部１６と、穿刺針１８を備え、前記ブロック部１６に装着される血液測定用チップ（穿刺針チップ）２０と、前記穿刺針１８を保持して軸線方向に沿って進退動作させる穿刺ユニット２２とを有する。さらに、この血液成分測定装置１０は、ハウジング１４の相対変位を規制するストッパ機構２４と、前記穿刺ユニット２２の進退動作を切り換えるボタンユニット２６と、前記穿刺ユニット２２を測定者（図示せず）側に向かって変位させる際の駆動力を蓄えるチャージ機構２８とを含む。
【００３６】
ケーシング１２は中空状の箱体からなり、開口した一端部の上面には、軸線方向に沿って所定長だけ延在したレバー溝３０が形成され、前記レバー溝３０にはブロック部１６の上部に設けられたリチャージレバー３２が軸線方向に沿って変位自在に設けられる。また、ケーシング１２の一端部側には、その両側面に一組のブロック孔３４がそれぞれ形成される。このブロック孔３４は、略長方形状に形成され、該ケーシング１２内に設けられたストッパ機構２４のストッパブロック３６が挿入される。
【００３７】
一方、ケーシング１２の他端部には、ボタンユニット２６の押圧部３８が挿通されるボタン孔４０が形成されている。なお、押圧部３８は、前記ボタン孔４０を介してケーシング１２の外部に突出するように設けられる。
【００３８】
ハウジング１４は、ケーシング１２の内部に軸線方向に変位自在に設けられ、該ケーシング１２の一端部及びレバー溝３０側に向かってそれぞれ開口した断面略Ｕ字状に形成される。そして、ハウジング１４の端部とケーシング１２の他端部との間にボタンユニット２６が配設される（図５参照）。
【００３９】
このボタンユニット２６は、第１ブラケット４２を介して前記ケーシング１２の他端部に連結される保持部材４４と、前記保持部材４４に対して変位自在に保持されるボタン部材（リリース手段）４６とを含む。ボタン部材４６は、一端部に設けられた押圧部３８がケーシング１２のボタン孔４０に挿入されると共に、他端部が保持部材４４の貫通孔４８を介してハウジング１４の孔部５０に挿入されている。また、ボタン部材４６の他端部には、ハウジング１４の底壁面１４ａに対向した傾斜部５２が設けられ、前記傾斜部５２は前記押圧部３８から離間する方向に向かって徐々に上方へと傾斜している。
【００４０】
押圧部３８の端部には、フランジを介して保持部材４４との間に第１ボタンスプリング５４が介装され、前記第１ボタンスプリング５４は、前記ボタン部材４６を前記保持部材４４から離間させる方向（矢印Ａ方向）に付勢している。すなわち、ボタン部材４６は、その押圧部３８が常にケーシング１２のボタン孔４０から外部へと突出する方向に付勢されている。
【００４１】
また、保持部材４４には、ハウジング１４側（矢印Ｂ方向）に向かって突出したガイド軸５６を介して前記ハウジング１４の端面との間に第２ボタンスプリング５８が設けられ、前記ハウジング１４を常に前記保持部材４４から離間させる方向（矢印Ｂ方向）に付勢している。
【００４２】
一方、ハウジング１４の内部には、一組のガイドシャフト６０が長手方向に沿って設けられ、前記ガイドシャフト６０の一端部が前記ハウジング１４の端部に係合されている。このガイドシャフト６０は、互いに所定間隔離間して設けられると共に、ガイドスプリング（第１付勢手段）６２がそれぞれ挿通されている。そして、前記ガイドシャフト６０の他端部が、チャージ機構２８を構成するホルダ（変位部材）６４及びヨーク６６の挿通孔６８ａ、６８ｂに挿入されてブロック部１６を構成する第１及び第２ブロック７０、７２の端部にそれぞれ連結される。すなわち、ガイドシャフト６０は、ハウジング１４の端部とブロック部１６の端部との間で固定されている。
【００４３】
ホルダ６４は、ボタンユニット２６側（矢印Ａ方向）に突出した一組の筒部７４と、略中央部に形成されて穿刺ユニット２２が挿通されるユニット孔７６と、前記筒部７４と反対方向（矢印Ｂ方向）に向かって突出したガイド部７８とを備える。この筒部７４には、軸線方向に沿って貫通した挿通孔６８ａを介してガイドシャフト６０が挿通される。
【００４４】
ヨーク６６は、断面略Ｕ字状に形成され、開口した一端部がハウジング１４の底壁面１４ａ側に配設されると共に、他端部が後述するスライダ８０にねじ部材８２を介して連結されている。このヨーク６６の一端部には、前記ガイドシャフト６０が挿通される一組の挿通孔６８ｂが形成され、前記ヨーク６６の略中央部がアーチ状に形成され、穿刺ユニット２２を構成するハブホルダ８４及びスライドシャフト（変位部材）８６が挿通される。
【００４５】
また、ヨーク６６の一端部には、スライダ８０と対向する挿通孔６８ｂの上部に歯部８８が刻設されている。なお、歯部８８は、挿通孔６８ｂの軸線と略平行に形成されている。
【００４６】
ヨーク６６の他端部には、ホルダ６４のガイド部７８が挿入される挿入溝９０が形成され、ガイド部７８を含むホルダ６４が前記ヨーク６６側（矢印Ｂ方向）に向かって変位した際に、前記ガイド部７８が前記ヨーク６６の挿入溝９０と前記スライダ８０のガイド溝８０ａとで形成される空間に挿入される。
【００４７】
さらに、ハウジング１４の底壁面１４ａには、図６に示されるように、係止部材（変位規制手段）９２がねじ部材８２を介して装着され、前記係止部材９２は、前記ねじ部材８２で固定された部位を支点として所定角度だけ下方に向かって傾動自在に設けられている。この係止部材９２は、ボタンユニット２６から離間する方向（矢印Ｂ方向）に延在し、二股状に形成されたアーム部９４と、前記アーム部９４の基点となる略中央部に設けられ、前記ハウジング１４の内側に向かって突出した突部９６とを備える。この突部９６の端部には、ボタンユニット２６側に向かって徐々に下方へと傾斜した傾斜面９６ａが形成され、前記傾斜面９６ａにはボタン部材４６が変位した際に傾斜部５２が当接する。すなわち、係止部材９２は、その突部９６がボタン部材４６の傾斜部５２と当接可能となるように略一直線上に配置される。
【００４８】
また、アーム部９４の先端には、前記底壁面１４ａから離間する方向に向かって突出した係止爪９８が形成され、ボタンユニット２６側（矢印Ａ方向）に向かうにつれて徐々に上方へと傾斜している。この係止爪９８は、ホルダ６４が軸線方向に沿って変位した際に、該ホルダ６４に押されて前記係止爪９８を有する係止部材９２が下方へと傾動することにより、該ホルダ６４におけるシャフト孔６４ａと一組の挿通孔６８ａとの間に設けられた係合凹部１００（図３参照）を係止する。これにより、ホルダ６４がボタンユニット２６から離間する方向（矢印Ｂ方向）に変位することが規制される。
【００４９】
一方、ハウジング１４の両側面には、孔部を介して歯車１０２を有するダンパ機構１０４がそれぞれ装着され、前記歯車１０２が前記ハウジング１４の内部側に突出してヨーク６６の歯部８８に噛合可能に設置されている。
【００５０】
このダンパ機構１０４には、歯車１０２の回転速度を所定速度に減速させる減速手段（図示せず）が設けられ、前記歯車１０２の回転速度を減速させることにより、前記歯車１０２が噛合されたヨーク６６の軸線方向に沿った変位速度を低下させている。すなわち、ヨーク６６がスライダ８０の変位作用下に軸線方向に沿って変位する際、前記ヨーク６６が歯部８８を介してダンパ機構１０４の歯車１０２に噛合されているために抵抗となり、前記ヨーク６６の変位が遅延されて変位速度が所定速度だけ低下することとなる。
【００５１】
例えば、この減速手段は粘性を有する圧油からなり、前記歯車１０２の回転軸が圧油内に挿入されることにより、前記粘性によって回転軸が回転する際に抵抗となり、前記回転軸に接続された歯車１０２の回転速度が減速される。
【００５２】
ブロック部１６は、開口したハウジング１４の一端部側に連結ねじ１０６を介して連結され、該ハウジング１４の一側面側に配設される第１ブロック７０と、該ハウジング１４の他側面側に配設される第２ブロック７２とからなる。なお、前記第１及び第２ブロック７０、７２は連結ねじ１０７によって一体的に連結されている。
【００５３】
この第１及び第２ブロック７０、７２には、互いに対向する側面に血液測定用チップ２０を保持する保持溝１１０をそれぞれ備え、断面略半円状に形成された保持溝１１０が、第１及び第２ブロック７０、７２を組み付けた際に断面円形状となり、前記血液測定用チップ２０が保持される。
【００５４】
また、第１及び第２ブロック７０、７２には、ケーシング１２の両側面側に向かって断面略長方形状に開口した装着孔１１２が形成され、前記装着孔１１２には、ストッパ機構２４を構成するストッパブロック３６がそれぞれ配設される。
【００５５】
この装着孔１１２には、一組のピン孔（図示せず）が形成され、前記ピン孔に装着されたストッパピン１１４を介して前記ストッパブロック３６が前記装着孔１１２に対して変位自在に軸支される。
【００５６】
第２ブロック７２は、ハウジング１４の底壁面１４ａ側となる下部に第１ブロック７０側に向かって延在した底壁部１１６を備え、前記底壁部１１６の略中央部に軸線方向に沿ったガイド溝１１８ａが設けられる。このガイド溝１１８ａは断面略半円状に形成され、チャージ機構２８を構成するスライドシャフト８６が軸線方向に沿って変位自在に支持される。
【００５７】
第１ブロック７０の上部には、軸線方向に沿って変位自在にリチャージレバー３２が設けられ、前記リチャージレバー３２は、上方に向かって突出した操作部１２０がケーシング１２のレバー溝３０から外部に突出している。また、リチャージレバー３２には、第１ブロック７０側に向かって突出したフック１２２ａと、該第１ブロック７０の上面に設けられたフック１２２ｂとの間に引張スプリング１２４が介装されている。リチャージレバー３２は、引張スプリング１２４によって常に血液測定用チップ側（矢印Ｂ方向）に付勢されている。
【００５８】
スライダ８０は、軸線方向に沿ったガイド溝８０ａを有する断面略Ｕ字状に形成され、血液測定用チップ２０側（矢印Ｂ方向）となる一端部が開口して形成される。スライダ８０の軸線方向に沿った略中央部にヨーク６６が連結されると共に、ガイド溝８０ａにはホルダ６４のガイド部７８が挿入される。すなわち、スライダ８０の変位作用下にヨーク６６が一体的に変位すると共に、前記ホルダ６４がガイド部７８を介して前記スライダ８０に対して軸線方向に変位可能となる。
【００５９】
スライダ８０の一端部は、該スライダ８０の軸線と直交する幅方向に拡幅して形成され、この拡幅部位には、前記スライダ８０の長手方向に沿って貫通した一組のシャフト孔１２６が形成される。このシャフト孔１２６は互いに平行に形成され、前記シャフト孔１２６の内周面には軸線方向に沿って一組の突条部１２８が設けられている。この突条部１２８は互いに対向するように設けられている（図３参照）。
【００６０】
このシャフト孔１２６には、回転シャフト１３０が挿入されると共に、該回転シャフト１３０の外周面に形成されたねじれ溝１３６が前記突条部１２８に係合される。回転シャフト１３０は、シャフト孔１２６に挿入される軸部１３２と、前記軸部１３２の一端部に形成され、該軸部１３２に対して半径外方向に膨出した幅広状の押え部１３４とを備え、前記ねじれ溝１３６は軸部１３２の外周面に形成される。この押え部１３４は、血液測定用チップ２０を構成する当接部材１３８の他端部に当接可能に設けられ、前記当接部材１３８に対する当接作用下にその上方への変位を規制している。すなわち、回転シャフト１３０の押え部１３４は、前記当接部材１３８の変位を規制するストッパとして機能している。
【００６１】
ねじれ溝１３６は、ボタンユニット２６側（矢印Ａ方向）となる軸部１３２の他端部から軸線方向に延在すると共に、前記軸部１３２の軸線を中心として徐々に外周面に沿って約９０°だけ周回するように形成される。詳細には、ねじれ溝１３６の形状は、一組の回転シャフト１３０においてスライダ８０の軸線を中心として対称となるように形成されている。
【００６２】
そして、回転シャフト１３０は、スライダ８０が軸線方向に沿って変位することにより突条部１２８とねじれ溝１３６との係合作用下に約９０°だけシャフト孔１２６の内部で回転変位する。この際、回転シャフト１３０は、押え部１３４が互いに離間するようにそれぞれ相反する方向に回転する。すなわち、一組の押え部１３４が、ブロック孔３４が形成されたケーシング１２の両側面側に回動した略水平状態となる。これにより、押え部１３４による当接部材１３８の変位規制状態が解除され、前記当接部材１３８が測定者の皮膚への押し当て力を介して上方に向かって変位可能となる。
【００６３】
なお、回転シャフト１３０は、前記第１及び第２ブロック７０、７２の上面に固定された第２ブラケット１０８の端面によって、ボタンユニット２６から離間させる方向（矢印Ｂ方向）への変位、すなわち、血液成分測定装置１０からの離脱が抑制されている。
【００６４】
血液測定用チップ２０は、穿刺針１８と、該穿刺針１８を保持するハブ１４０と、前記穿刺針１８と前記ハブ１４０とを軸線方向に沿って変位自在に保持するチップボディ１５４と、測定者の皮膚に当接可能な当接部１４２と、前記測定者の血液が導入される試験紙１４４とを含む。なお、第１及び第２ブロック７０、７２の上部には、前記血液測定用チップ２０を装着した際に前記試験紙１４４と対向するように測定部１４６が設けられている。
【００６５】
この測定部１４６は、発光素子（例えば、ＬＥＤ−Light Emitting Diode）及び受光素子（例えば、ＰＤ−Photo Detector）からなり、前記測定部１４６を介して読み取られた光学的変化量が、図示しない制御部で演算されて表示部を通じて測定結果として表示される。
【００６６】
ハブ１４０は円柱状に形成され、その一端部に穿刺針１８が突出しており、他端部側に形成された小径部１４８が穿刺ユニット２２のハブ把持部１５０へと挿入される。これにより、前記ハブ１４０が穿刺ユニット２２に対して保持される。この穿刺針１８は予め滅菌処理されており、使用時まで滅菌処理された状態が維持される。
【００６７】
当接部１４２は、測定者の皮膚における穿刺箇所の周囲に当接する環状の当接部材１３８からなる（図４参照）。
【００６８】
当接部材１３８は、その略中央部に形成されて穿刺針１８が挿通する中心孔１５６と、一端部側に形成されて測定者の指先形状に対応して円弧状に窪んだ窪み部１５８と、他端部側に形成されて該当接部材１３８の軸線に対して所定角度傾斜した一組の傾斜部１６０とを含む。なお、当接部材１３８は、測定者に当接する端面から中心孔１５６に向かって徐々に縮径するテーパ面を有しているため、指先を当接させた際に外側から内側に向かって皮膚を押圧し、血液を中心に集めることができ、穿刺時に血液の出血を促進させることが可能となる。
【００６９】
傾斜部１６０は、中心孔１５６を中心とした両側部に形成され、該傾斜部１６０の端部から窪み部１５８側に向かって下部側に傾斜した第１傾斜面１６２を有する。
【００７０】
一方、血液測定用チップ２０には、前記当接部１４２を覆うキャップ１６４が着脱自在に装着されている。このキャップ１６４は、円形状のカバー部１６６と、前記カバー部１６６の中心から半径外方向にオフセットした位置に連結される押圧ピン（軸部）１６８とを備える。そして、キャップ１６４は、血液測定用チップ２０を血液成分測定装置１０に装填する前に予め当接部１４２に対して装着されており、前記血液測定用チップ２０が装填された後に、前記当接部１４２から取り外される。
【００７１】
チップボディ１５４は、当接部１４２がスライド自在に設けられるガイドブロック１７０と、前記ガイドブロック１７０に対して穿刺ユニット２２側に延在し、ハブ１４０を内部に保持可能な筒部１７２とを含む。ガイドブロック１７０には、穿刺針１８が挿通される針孔１７４と、前記針孔１７４を中心として両側に形成され、前記当接部材１３８が当接する一組の第２傾斜面１７６とを備える。ガイドブロック１７０の上部には、装填部１７８に試験紙１４４が装着されたベース１８０が設けられる。この試験紙１４４の材質としては、例えば、ポリエーテルスルホンが挙げられる。試験紙１４４に担持させる試薬としては、例えば、グルコースオキシターゼ（ＧＯＤ）、ペルオキシターゼ（ＰＯＤ）、４−アミノアンチピリン、Ｎ−エチルＮ−（２−ヒドロキシ−３−スルホプロピル）等の発色剤が挙げられる。また、ベース１８０の側面には、当接部１４２側に向かって突出した導入部１８２が形成され、前記導入部１８２の内部には、外部と装填部１７８とを連通する導入通路１８２ａが形成される。すなわち、導入部１８２の導入通路１８２ａに導かれた血液は、装填部１７８の試験紙１４４へと供給される。
【００７２】
ガイドブロック１７０の下部には、スライドシャフト８６及び押圧ピン１６８が変位自在に保持されるガイド溝１１８ｂが形成される。すなわち、チップボディ１５４がブロック部１６に装着される際に、第２ブロック７２のガイド溝１１８ａ、１１８ｂによって前記押圧ピン１６８が軸線方向に沿って変位自在にガイドされる。
【００７３】
筒部１７２は、円筒状に形成され、第１及び第２ブロック７０、７２の保持溝１１０に挿入されて保持される。
【００７４】
穿刺ユニット２２は、軸線方向に沿って長尺に形成されるハブホルダ８４と、前記ハブホルダ８４の一端部に形成され、血液測定用チップ２０のハブ１４０を保持するハブ把持部１５０と、前記ハブホルダ８４の内部とブロック部１６との間に介装され、前記ハブホルダ８４をボタンユニット２６側（矢印Ａ方向）に付勢するリターンスプリング１８６と、前記ハブホルダ８４を前記ボタンユニット２６から離間させる方向（矢印Ｂ方向）に付勢する穿刺スプリング１８８とを有する。
【００７５】
リターンスプリング１８６における血液測定用チップ２０側（矢印Ｂ方向）の端部と穿刺スプリング１８８におけるボタンユニット２６側（矢印Ａ方向）の端部は、ブロック部１６から延設された部位に固定されている。
【００７６】
ハブホルダ８４は、ハウジング１４及びブロック部１６の内部に軸線方向に沿って変位自在に設けられ、前記ハブホルダ８４の一端部のハブ把持部１５０に、前記血液測定用チップ２０の小径部１４８を介してハブ１４０が嵌合され、前記ハブ把持部１５０の外周側に配設された円筒状のスペーサ１９０によって前記小径部１４８とハブホルダ８４（ハブ把持部１５０）との距離が一定に保たれる。これにより、ハブ１４０がハブホルダ８４に対して正確に保持される。
【００７７】
ストッパ機構２４は、第１及び第２ブロック７０、７２にそれぞれ設けられ、該第１及び第２ブロック７０、７２の装着孔１１２に変位自在に設けられるストッパブロック３６と、前記ストッパブロック３６と前記装着孔１１２との間に介装されるブロックスプリング１９２と、前記ストッパブロック３６に係合されると共に、ハウジング１４の軸線方向に変位自在なストッパロッド１９４と、前記ストッパロッド１９４の端部に設けられ、血液測定用チップ２０の一部が当接可能なロッドキャップ１９６と、前記ストッパロッド１９４に挿通されるロッドスプリング１９８とを備える。なお、ロッドスプリング１９８は、前記ロッドキャップ１９６をストッパブロック３６から離間させる方向（矢印Ｂ方向）に付勢している。
【００７８】
このストッパブロック３６は、装着孔１１２にそれぞれ設けられ、軸線方向への変位作用下にケーシング１２のブロック孔３４に挿入される。ストッパブロック３６は、断面略コ字状に形成され、その内部には、ボタンユニット２６側（矢印Ａ方向）となる内壁面にストッパロッド１９４から離間する方向に窪んだロッド溝２００が形成される（図５参照）。このロッド溝２００は、ストッパブロック３６の変位方向（矢印Ｃ１、Ｃ２方向）における中央部に向かってそれぞれ約４５°傾斜した一組の傾斜面からなり、断面略Ｖ字状に形成される。
【００７９】
また、ストッパブロック３６は、ボタンユニット２６側（矢印Ａ方向）となる外側面に、所定深さで窪んだ凹部２０２が形成され、前記ストッパブロック３６がケーシング１２のブロック孔３４に挿入された際、前記ブロック孔３４の端部が前記凹部２０２に係合される。すなわち、ストッパブロック３６が、凹部２０２を介してケーシング１２に係止されることにより、前記ストッパブロック３６の軸線方向（矢印Ｃ１、Ｃ２方向）に沿った変位が規制される。
【００８０】
また、ストッパブロック３６には、第１及び第２ブロック７０、７２に支持されたストッパピン１１４が挿通可能な一組の長孔２０４が形成され、前記長孔２０４はストッパブロック３６を装着孔１１２に配設した際に、該ストッパロッド１９４の軸線と略直交するように形成される。すなわち、ストッパブロック３６は、ストッパピン１１４を介してケーシング１２の軸線と略直交方向（矢印Ｃ１、Ｃ２方向）に変位自在に支持されている。
【００８１】
さらに、ストッパブロック３６は、ブロックスプリング１９２の弾発力によって常にブロック部１６の外部に位置するケーシング１２側（矢印Ｃ１方向）に向かって付勢されている。
【００８２】
ストッパロッド１９４は、第１及び第２ブロック７０、７２に形成されたロッド孔２０６にそれぞれ変位自在に挿通され、ストッパブロック３６側（矢印Ａ方向）となる一端部には、前記ストッパブロック３６のロッド溝２００に当接する係合部２０８が形成される。係合部２０８は、ストッパブロック３６に臨む側面がストッパロッド１９４の軸線に対して所定角度（例えば、４５°）傾斜して形成され、前記ストッパブロック３６のロッド溝２００の傾斜面に対して当接可能に形成されている。すなわち、係合部２０８は、その傾斜面がロッド溝２００の傾斜面に対して面接触している。
【００８３】
また、ロッドキャップ１９６は、ストッパロッド１９４の他端部に装着され、軸線方向に沿った所定長さを有するリンク孔２１０が形成されている。前記リンク孔２１０には第１及び第２ブロック７０、７２に支持されたリンクピン２１２が挿通される。これにより、ロッドキャップ１９６は、リンクピン２１２の係合作用下に軸線方向に沿った変位量が規制される。このロッドキャップ１９６と係合部２０８との間にロッドスプリング１９８が介装されている。
【００８４】
チャージ機構２８は、ハウジング１４の内部に設けられ、一組のガイドシャフト６０に沿って変位自在なホルダ６４と、前記ホルダ６４と共にハウジング１４の内部を軸線方向に沿って変位可能なスライドシャフト８６と、血液測定用チップ２０に装着されたキャップ１６４に設けられ、前記スライドシャフト８６を押圧可能な押圧ピン１６８とを含む。
【００８５】
スライドシャフト８６は長尺に形成され、その一端部がホルダ６４のシャフト孔６４ａに挿入されて係止されているため、前記スライドシャフト８６がガイド溝１１８ａ、１１８ｂに沿って前記ホルダ６４と一体的に変位する。
【００８６】
押圧ピン１６８は、円柱状に形成されたカバー部１６６の中心から半径外方向にオフセットして設けられ、前記カバー部１６６から離間する方向に所定長さだけ突出している。この押圧ピン１６８の直径は、前記スライドシャフト８６の直径と略同等に設定される。そして、押圧ピン１６８は、スライドシャフト８６をボタンユニット２６側（矢印Ａ方向）に押圧する際、該スライドシャフト８６と共にガイド溝１１８ａ、１１８ｂによってガイドされる。
【００８７】
すなわち、スライドシャフト８６が、押圧ピン１６８によってボタンユニット２６側（矢印Ａ方向）に押圧されることにより、前記スライドシャフト８６と共にホルダ６４がガイドシャフト６０によるガイド作用下に軸線方向に沿って変位する。この際、ホルダ６４は、一組のガイドスプリング６２の弾発力に抗して変位し、前記ガイドスプリング６２がボタンユニット２６側に縮退する。
【００８８】
さらにその後、ホルダ６４は、穿刺ユニット２２におけるボタンユニット２６側の端部に設けられたフランジ８４ａに当接し、該フランジ８４ａをボタンユニット２６側に押圧して穿刺スプリング１８８を圧縮する、すなわち、押圧ピン１６８のボタンユニット２６側への押圧によって、ガイドスプリング６２を介して駆動される当接部材１３８の変位規制状態の解除機構（後述する）の駆動力、及び、穿刺針１８を保持する穿刺ユニット２２を駆動するための駆動力が蓄えられる。
【００８９】
本発明の実施の形態に係る血液成分測定装置１０は、基本的には以上のように構成されるものであり、次に血液測定用チップ２０を前記血液成分測定装置１０に対して装着する場合について説明する。
【００９０】
なお、図５及び図６に示されるケーシング１２の内部に配設されたブロック部１６に対して血液測定用チップ２０が装着されていない状態を初期状態とする。
【００９１】
この初期状態では、ガイドスプリング６２の弾発力によってホルダ６４がボタンユニット２６から離間する方向（矢印Ｂ方向）に押圧され、前記ホルダ６４と共にヨーク６６及びスライダ８０が一体的にブロック部１６側へと変位している。また、ストッパ機構２４を構成するストッパロッド１９４及びロッドキャップ１９６は、ロッドスプリング１９８の弾発作用下にボタンユニット２６から離間する方向（矢印Ｂ方向）に変位し、ストッパブロック３６がブロックスプリング１９２によってケーシング１２のブロック孔３４側（矢印Ｃ１方向）へと変位して前記ハウジング１４及びブロック部１６とケーシング１２との軸線方向（矢印Ａ、Ｂ方向）に沿った相対的な変位が規制されている（図５参照）。
【００９２】
先ず、図７及び図８に示されるように、血液測定用チップ２０をケーシング１２の一端部側から挿入し、チップボディ１５４の筒部１７２を第１及び第２ブロック７０、７２の保持溝１１０に挿入することにより、前記チップボディ１５４を介して前記血液測定用チップ２０がブロック部１６に保持される。この際、チップボディ１５４の内部に保持されたハブ１４０は、該ハブ１４０の小径部１４８が穿刺ユニット２２を構成するハブ把持部１５０に嵌合されることによって穿刺ユニット２２に保持される。
【００９３】
また、図８に示されるように、血液測定用チップ２０に装着されているキャップ１６４の押圧ピン１６８が、ガイド溝１１８ａ、１１８ｂに沿ってボタンユニット２６側（矢印Ａ方向）に変位することにより、ブロック部１６の内部に設けられたスライドシャフト８６の端部に当接し、前記ボタンユニット２６側（矢印Ａ方向）へと押圧する。これにより、ホルダ６４が、スライドシャフト８６の変位作用下にガイドスプリング６２の弾発力に抗してボタンユニット２６側（矢印Ａ方向）へと押圧されると共に、前記ホルダ６４のガイド部７８がスライダ８０のガイド溝８０ａの端部に当接して押圧することにより、前記スライダ８０及びヨーク６６が一体的にボタンユニット２６側へと変位する。
【００９４】
さらに、ホルダ６４がボタンユニット２６側に変位すると、前記ホルダ６４の端面が穿刺ユニット２２のフランジ８４ａに当接し、該フランジ８４ａを前記ボタンユニット２６側に押圧することによって前記穿刺ユニット２２を変位させる。
【００９５】
図９に示されるように、さらに血液測定用チップ２０をボタンユニット２６側（矢印Ａ方向）に向かって変位させることにより、チップボディ１５４のガイドブロック１７０がブロック部１６の開孔部２１４に装填され、前記ガイドブロック１７０の端面がロッドキャップ１９６に当接する。そして、チップボディ１５４の押圧作用下にロッドキャップ１９６がロッドスプリング１９８の弾発力に抗してロッド孔２０６に沿って変位する（図１０参照）。これにより、チップボディ１５４の端面が、第１及び第２ブロック７０、７２における開孔部２１４の端面に当接し、前記血液測定用チップ２０の変位が規制される。換言すれば、血液測定用チップ２０がブロック部１６に対して軸線方向に位置決めされ、該血液測定用チップ２０の装填作業が完了する。
【００９６】
この際、ロッドスプリング１９８が血液測定用チップ２０による押圧作用下に軸線方向に圧縮される過程において、該ロッドスプリング１９８の弾発作用下にストッパロッド１９４の係合部２０８には、ボタンユニット２６側（矢印Ａ方向）への押圧力が付勢され、前記押圧力が該係合部２０８を介してストッパブロック３６に付勢されている。しかしながら、ストッパブロック３６は、凹部２０２を介してブロック孔３４の開口端部に係合され、前記ストッパブロック３６の軸線方向に沿った変位（矢印Ｃ２方向）が規制されているため変位することがない。換言すれば、ストッパブロック３６は、ブロック孔３４との係合作用下にケーシング１２の内部側（矢印Ｃ２方向）への変位が規制され、それに伴って、前記ケーシング１２に対してハウジング１４及びブロック部１６が軸線方向に沿って相対的に変位することがない。
【００９７】
また、血液測定用チップ２０と共にキャップ１６４の押圧ピン１６８がさらに変位することにより、該押圧ピン１６８によってスライドシャフト８６がボタンユニット２６側（矢印Ａ方向）へとさらに押圧され、それに伴って、ホルダ６４、スライダ８０及びヨーク６６が一体的に変位する。そして、図１１に示されるように、ホルダ６４が係合凹部１００を介して係止部材９２のアーム部９４に乗り上げ、該アーム部９４の係止爪９８が前記係合凹部１００に対してそれぞれ係合される。詳細には、係止爪９８が、ホルダ６４における血液測定用チップ２０側（矢印Ｂ方向）に係合される。これにより、ホルダ６４の血液測定用チップ２０側への変位が規制されると共に、前記ホルダ６４のガイド部７８に係合されたスライダ８０、該スライダ８０に連結されたヨーク６６の変位も同時に規制される。
【００９８】
ホルダ６４は、穿刺ユニット２２をボタンユニット２６側へ変位させ、前記ホルダ６４の係合凹部１００が係止爪９８に係合することによって、前記穿刺ユニット２２の変位も規制される。
【００９９】
すなわち、ホルダ６４は、ガイドスプリング６２及び穿刺スプリング１８８の弾発力に抗した状態で係止されるため、前記スライダ８０及び前記ヨーク６６が、前記ガイドスプリング６２の弾発力によって血液測定用チップ２０側に変位可能なチャージ状態で係止され、穿刺ユニット２２が穿刺スプリング１８８の弾発力によって血液測定用チップ２０側に変位可能なチャージ状態で係止されている。
【０１００】
そして、血液測定用チップ２０の装着が完了し、血液測定用チップ２０を装着する際に付勢されていたボタンユニット２６側（矢印Ａ方向）への押圧力を解除することにより、図１２に示されるように、ハウジング１４及びブロック部１６が圧縮されていた第２ボタンスプリング５８の弾発作用下に若干だけ血液測定用チップ２０側（矢印Ｂ方向）に変位する。そのため、ストッパブロック３６の凹部２０２が、ケーシング１２におけるブロック孔３４の開口端部から離間し、前記ストッパブロック３６の変位規制状態が解除されることとなる。
【０１０１】
なお、血液測定用チップ２０に加えていた押圧力を解除した際、第２ブロック７２の底壁部１１６と前記血液測定用チップ２０のチップボディ１５４との嵌合力により、ロッドスプリング１９８の弾発力によって血液測定用チップ２０が矢印Ｂ方向へ移動することが妨げられている。
【０１０２】
続いて、ロッドスプリング１９８の弾発力によって前記係合部２０８がストッパブロック３６のロッド溝２００に当接した状態で押圧されていることにより、ストッパブロック３６が、ロッド溝２００の傾斜面を介して係合部２０８の傾斜面に沿ってスライドする。その結果、前記ストッパブロック３６が前記係合部２０８の変位方向と略直交するケーシング１２の内部側（矢印Ｃ２方向）に向かって変位する。この際、一組のストッパブロック３６は、その凹部２０２が装着孔１１２の開口端部から離脱し、ブロックスプリング１９２の弾発力に抗してケーシング１２の内部側（矢印Ｃ２方向）に向かって変位すると共に、ストッパピン１１４に軸支された長孔２０４に沿って所定距離だけ変位する。なお、ロッドスプリング１９８の弾発力は、ブロックスプリング１９２の弾発力に対して予め大きく設定されている。すなわち、ストッパロッド１９４の係合部２０８とストッパブロック３６のロッド溝２００とを傾斜面を介して係合させ、前記ストッパロッド１９４による押圧作用下にストッパブロック３６を変位させることにより、前記ストッパロッド１９４の変位方向と前記ストッパブロック３６の変位方向とを略直交させている。
【０１０３】
このように、ストッパ機構２４によるブロック部１６及びハウジング１４のケーシング１２に対する相対変位が規制されたロック状態が解除され、前記ハウジング１４及びブロック部１６が前記ケーシング１２の内部において軸線方向に変位可能となる。
【０１０４】
最後に、図１３及び図１４に示されるように、血液測定用チップ２０を構成する当接部１４２に装着されたキャップ１６４を該当接部１４２から離間させるように取り外す。また、キャップ１６４に連結された押圧ピン１６８はブロック部１６のガイド溝１１８ａ、１１８ｂに沿って外部へと取り出される。なお、この際、ホルダ６４に連結したスライドシャフト８６は、該ホルダ６４が係止部材９２に係合されることによってハウジング１４に係止されているため、キャップ１６４が取り出された場合においても変位することがない。
【０１０５】
次に、このように血液測定用チップ２０が装着され、チャージされた血液成分測定装置１０によって測定者が血液成分を測定する場合について簡単に説明する。
【０１０６】
先ず、図１４に示される測定準備状態において、図示しない測定者が血液成分測定装置１０の当接部１４２を皮膚（例えば、指先）に押し当てることによって、第２ボタンスプリング５８を圧縮する。この作業により、穿刺後に皮膚から血液の流出を促進するために必要な皮膚への押圧力を確保することができる、次に、その状態でボタンユニット２６の押圧部３８を押圧する。これにより、前記ボタン部材４６の傾斜部５２が係止部材９２の突部９６を下方側へと押圧し、前記係止部材９２の係止爪９８がホルダ６４の係合凹部１００から離間して、該ホルダ６４がチャージ機構２８によって圧縮されていたガイドスプリング６２の弾発力によって血液測定用チップ２０側（矢印Ｂ方向）へと変位する。そして、ホルダ６４によって係止されていた穿刺ユニット２２が穿刺スプリング１８８の弾発力によって血液測定用チップ２０側へと変位し、先端部に保持された穿刺針１８が、当接部材１３８の中心孔１５６を介して測定者の皮膚を穿刺し、穿刺針１８によって穿刺された皮膚の穿刺箇所から血液が導出される。
【０１０７】
この穿刺ユニット２２は、リターンスプリング１８６の弾発力によって即座に皮膚から離間する方向（矢印Ｘ２方向）へと変位し、前記穿刺ユニット２２は、穿刺スプリング１８８とリターンスプリング１８６の弾発力が釣り合う位置まで戻されて停止する。
【０１０８】
なお、当接部１４２を皮膚に押圧していない状態、すなわち、第２ボタンスプリング５８が圧縮されていない状態で、前記ボタン部材４６を押し込んでも、該ボタン部材４６の傾斜部５２が係止部材９２の突部９６に届かないため、係止状態を解除することができないように設計されている。このような構造によれば、当接部１４２を皮膚に押し当てる前に、予めボタン部材４６を押し込んでおき、その状態を保ったまま当接部１４２を皮膚に押し当てることによって、所定の距離を押し進んだところで自動的に係止状態が解除され、前記皮膚を穿刺して血液成分の測定が行われるような使用方法を採ることも可能である。
【０１０９】
一方、ホルダ６４の変位作用下に該ホルダ６４のガイド部７８がヨーク６６の挿入溝９０に挿入されて該ヨーク６６が一体的に変位する。この際、ヨーク６６の歯部８８がダンパ機構１０４の歯車１０２に噛合されているため、前記ヨーク６６及び該ヨーク６６に連結されたスライダ８０の軸線方向への変位速度が減速され、前記穿刺ユニット２２による皮膚の穿刺より若干だけ遅れて血液測定用チップ２０側へと変位する。
【０１１０】
なお、ホルダ６４がヨーク６６に当接する直前に、穿刺ユニット２２が血液測定用チップ２０側へ最大限変位して皮膚を穿刺し、前記ホルダ６４が前記ヨーク６６と一体化した時には、穿刺ユニット２２はリターンスプリング１８６の弾発力によって、ボタンユニット２６側に戻り始めるように各部材の位置が調整されている。また、スライダ８０の軸線方向への移動を遅らせるのは、皮膚の穿刺と同時にスライダ８０が移動すると、穿刺前に当接部材１３８が変位して設定より深く穿刺してしまったり、穿刺の途中で当接部材１３８が変位して穿刺痕が過大となることを防ぐためであり、また、皮膚を穿刺した後、血液が流出して測定に必要な量が溜まるまでの時間を確保するためである。
【０１１１】
そして、スライダ８０の変位に伴ってシャフト孔１２６の突条部１２８に係合した一組の回転シャフト１３０が相反する方向に９０°だけ回転し、押え部１３４による当接部材１３８の変位規制状態が解除される。これに伴って、該当接部材１３８が皮膚への押し当て力によってチップボディ１５４の第２傾斜面１７６に添って斜め上方へと変位する。これにより、チップボディ１５４の上部に設けられた導入部１８２が当接部材１３８の中心孔１５６に臨む位置となり、前記導入部１８２が測定者の皮膚における穿刺箇所に近接する。そのため、前記穿刺箇所から出血した血液が毛細管現象によって導入通路１８２ａへと吸い上げられ、試験紙１４４に導入されて該試験紙１４４に含浸された試薬に反応して血液中の糖濃度に応じて呈色する。
【０１１２】
最後に、測定部１４６によって該試験紙１４４の変色に基づく反射光量の変化を光学的に読み取ることにより血液における血糖値が測定される。
【０１１３】
以上のように、本実施の形態では、チャージ機構２８を構成するスライドシャフト８６をケーシング１２の内部に変位自在に設け、前記スライドシャフト８６の端部に連結されたホルダ６４とハウジング１４との間に、該ホルダ６４及び前記スライドシャフト８６を血液測定用チップ２０側（矢印Ｂ方向）に向かって付勢する一組のガイドスプリング６２を設けている。
【０１１４】
そして、測定者が血液測定用チップ２０を装着する際の押圧力を利用して、該血液測定用チップ２０に装着されたキャップ１６４の押圧ピン１６８を、スライドシャフト８６をボタンユニット２６側（矢印Ａ方向）に変位させ、該スライドシャフト８６に連結されたホルダ６４を介して一組のガイドスプリング６２を圧縮させている。
【０１１５】
また、スライドシャフト８６に連結されたホルダ６４が変位すると、穿刺ユニット２２のボタンユニット２６側に設けられたフランジ８４ａに当接し押圧することによって、穿刺スプリング１８８が圧縮される。
【０１１６】
このように、血液測定用チップ２０に装着されたキャップ１６４を介してチャージ機構２８を直接駆動させる構成としているため、前記血液測定用チップ２０に付与された押圧力を、前記チャージ機構２８を構成するスライドシャフト６８及びホルダ６４へと確実に伝達することができ、それに伴って、前記押圧力に基づいて穿刺スプリング１８８を圧縮することが可能となる。そのため、穿刺工程において穿刺ユニット２２を血液測定用チップ２０側に向かって変位させる際の駆動力をチャージ機構２８によって確実且つ簡便にチャージすることができる。
【０１１７】
また、チャージ機構２８を押圧する部材を、穿刺針１８を含む血液測定用チップ２０とは別個の構成としているため、前記血液測定用チップ２０を装着して前記チャージ機構２８によるチャージを行う際に、前記押圧力が前記穿刺針１８に対して付与されることがなく、従来技術に係る血液成分測定装置において懸念される針の曲がり等が生じることがない。その結果、穿刺針１８を介して測定者の穿刺工程を好適に行うことができる。
【０１１８】
さらに、測定者が血液測定用チップ２０をブロック部１６に対して装着し、キャップ１６４を前記血液測定用チップ２０から取り外すまでの間、押圧ピン１６８によってスライドシャフト８６の血液測定用チップ２０側（矢印Ｂ方向）への変位が規制される。そのため、血液測定用チップ２０の装着時において、ケーシング１２の内部に設けられた穿刺ユニット２２が誤って作動することがない。また、血液測定用チップ２０に何らかの不具合があった場合にも、穿刺針１８の発射を阻止することが可能である。
【０１１９】
一方、上述した説明においては、血液測定用チップ２０を装着する際の押圧力を利用し、チャージ機構２８によって穿刺ユニット２２を変位させる際の駆動力や当接部材１３８を変位させる際の駆動力をチャージする場合について説明したが、前記チャージ機構２８によって駆動力をチャージする機構は穿刺機構、当接部材１３８の変位機構のみに限定されるものではない。
【０１２０】
例えば、血液成分測定装置１０に対して測定後の血液測定用チップ２０を取り外し可能なイジェクト機構（図示せず）や自動点着機構等を設け、前記イジェクト機構等を、チャージ機構２８によってチャージされた駆動力によって駆動させるようにしてもよい。すなわち、複数の機構を駆動させる駆動力を単一のチャージ機構２８によってチャージする構成としてもよい。なお、この場合、単一の操作で複数の機構を同時に駆動させるようにしてもよいし、前記複数の機構を別個に独立して駆動させるようにしてもよい。
【０１２１】
次に、本発明の実施の形態に係る穿刺装置２５０を図１５〜図２１に示す。なお、上述した実施の形態に係る血液成分測定装置１０と同一の構成要素には同一の参照符号を付して、その詳細な説明を省略する。
【０１２２】
この穿刺装置２５０は、円筒状に形成されるケーシング２５２と、該ケーシング２５２内で軸方向に進退可能な穿刺ユニット２５４と、前記穿刺針１８を備え、前記穿刺ユニット２５４に装着される穿刺針チップ２５６とを含む。
【０１２３】
ケーシング２５２は、図１５〜図１７に示されるように、穿刺針チップ２５６が装着可能な装着穴２５８を有する第１ボディ２６０と、一端部が前記第１ボディ２６０に連結され、他端部がプラグ２６２によって閉塞された第２ボディ２６４とを含む。このケーシング２５２は、第１及び第２ボディ２６０、２６４の内部が互いに連通するように形成され、その内部に穿刺ユニット２５４が変位自在に配設される。
【０１２４】
また、第１ボディ２６０の内壁面には、穿刺ユニット２５４と対向した第１係合突部２６６が形成される。この第１係合突部２６６は、穿刺ユニット２５４側に向かって所定高さで突出している。
【０１２５】
さらに、第１ボディ２６０には、該第１ボディ２６０の外周面から半径外方向に離間して穿刺ボタン２６８が略平行に設けられ、前記穿刺ボタン２６８は、第２ボディ２６４側（矢印Ａ方向）に支持された一端部を支点とし、他端部が前記第１ボディ２６０の内部側に向かって所定角度だけ傾動自在に設けられている。なお、第１ボディ２６０の外周面には、穿刺ボタン２６８と対向した開孔２７０が形成され、傾動した穿刺ボタン２６８の他端部が前記開孔２７０を介して前記第１ボディ２６０の内部に挿入される。すなわち、穿刺ボタン２６８は、開孔２７０を介して第１ボディ２６０内に設けられた穿刺ユニット２５４と対向している。
【０１２６】
穿刺ボタン２６８の他端部には、穿刺ユニット２５４側に向かって突出した突部２７２が形成されている。この突部２７２が、前記穿刺ボタン２６８の傾動作用下に穿刺ユニット２５４のノブ２７４を押圧することにより、前記穿刺ユニット２５４の軸線方向に沿った変位規制状態を解除している。
【０１２７】
一方、第２ボディ２６４には、穿刺ユニット２５４を穿刺針チップ２５６から離間させる方向（矢印Ａ方向）に変位させるリチャージレバー２７６が設けられ、前記リチャージレバー２７６には、穿刺針チップ２５６側（矢印Ｂ方向）となる端部にリターンスプリング１８６が介装される。
【０１２８】
穿刺ユニット２５４は、その一端部に穿刺針１８を有するハブ１４０を把持可能なハブ把持部２８０が形成され、他端部にはリチャージレバー２７６との間でリターンスプリング１８６が介装された第１フランジ２８２が形成される。また、穿刺ユニット２５４の略中央部には第２フランジ２８４が形成され、第２ボディ２６４の端部との間に穿刺スプリング１８８が介装されている。
【０１２９】
この穿刺ユニット２５４には、ケーシング２５２の中心軸方向に傾動可能な弾性部２８６が設けられ、前記弾性部２８６は前記穿刺ユニット２５４の軸線方向に沿って延在すると共に、前記穿刺ユニット２５４の他端部側（矢印Ａ方向）を支点として傾動変位する。この弾性部２８６には、ケーシング２５２の穿刺ボタン２６８と対向し、且つ、前記穿刺ボタン２６８側に向かって突出したノブ２７４と、前記ノブ２７４から所定間隔離間して第２係合突部２８８が形成される。
【０１３０】
さらに、第１フランジ２８２と第２フランジ２８４との間には、穿刺ユニット２５４を穿刺針チップ２５６側（矢印Ｂ方向）に向かって突出させた際の抜け止めとして機能する突出片２９０が形成される。この突出片２９０は、ケーシング２５２を構成する第２ボディ２６４の端面に当接することにより穿刺ユニット２５４の軸線方向に沿った変位が規制される。
【０１３１】
穿刺針チップ２５６は、穿刺針１８を保持するハブ１４０と、前記ハブ１４０が保持されるハブホルダ２７８とを含み、前記ハブホルダ２７８にはキャップ２９２が装着されている。
【０１３２】
ハブ１４０は、先端に突出した穿刺針１８を有すると共に、半径方向に拡径した拡径部１４０ａがハブホルダ２７８の後述する第２嵌合孔２９６に対して嵌合されることによって保持される。
【０１３３】
ハブホルダ２７８は、円筒状に形成され、一端部側に軸線方向に沿って形成される第１嵌合孔２９４と、前記第１嵌合孔２９４より拡径して他端部側に形成される第２嵌合孔２９６とを備える。そして、第１嵌合孔２９４に穿刺針１８が挿入された状態でハブ１４０の端部が保持されると共に、第２嵌合孔２９６には拡径部１４０ａが嵌合される。これにより、ハブホルダ２７８の内部にハブ１４０が嵌合されて保持されることとなる。
【０１３４】
また、ハブホルダ２７８の一端部にはキャップ２９２が装着され、前記キャップ２９２は、ハブホルダ２７８の一端部に当接する封止部２９８と、前記封止部２９８に対してハブホルダ２７８の軸線と略平行に延在するピン部３００とからなる。この封止部２９８は、ハブホルダ２７８の端部を覆うように断面略円形状に形成されている。すなわち、第１嵌合孔２９４と第２嵌合孔２９６の一部は、封止部２９８及び嵌合された拡径部１４０ａによって密封された状態、あるいは、少なくとも菌不透過性に封止された状態となるため、前記第１嵌合孔２９４に挿入される穿刺針１８の滅菌状態が好適に保持される。
【０１３５】
ピン部３００は、ハブホルダ２７８の外面に沿って設けられ、穿刺針チップ２５６をケーシング２５２に対して装着する際に、該ハブホルダ２７８と共に前記ケーシング２５２に挿入される。
【０１３６】
なお、キャップ２９２に設けられ、穿刺ユニット２５４を第２ボディ２６４側（矢印Ａ方向）に向かって押圧するピン部３００が、前記穿刺ユニット２５４を穿刺針チップ２５６側（矢印Ｂ方向）に向かって変位させる際の駆動力をチャージするためのチャージ機構として機能している。
【０１３７】
次に、この穿刺装置２５０において、ケーシング２５２に対して穿刺針チップ２５６を装着する場合について説明する。
【０１３８】
図１７に示される穿刺針チップ２５６及びキャップ２９２がケーシング２５２に装着される前の状態では、ケーシング２５２の第１係合突部２６６に穿刺ユニット２５４の第２係合突部２８８が当接しており、前記穿刺ユニット２５４が軸線方向に沿って変位自在な状態にある。
【０１３９】
そして、図１８に示されるように、ケーシング２５２の装着穴２５８を介して穿刺針チップ２５６及びキャップ２９２を該ケーシング２５２の内部に挿入することにより、ハブ１４０が穿刺ユニット２５４のハブ把持部２８０に対して把持され、前記穿刺針チップ２５６及びキャップ２９２をさらに穿刺ユニット２５４側（矢印Ａ方向）に押圧することによりキャップ２９２のピン部３００が穿刺ユニット２５４に当接して（図１９参照）、前記穿刺ユニット２５４の全体を第２ボディ２６４側（矢印Ａ方向）へと押圧する。この際、穿刺ユニット２５４は、穿刺スプリング１８８を縮退させながら変位しているため、穿刺スプリング１８８が圧縮された状態となる。
【０１４０】
そして、図２０に示されるように、弾性部２８６の第２係合突部２８８が、ケーシング２５２の第１係合突部２６６に沿って変位して該第１係合突部２６６を乗り越えて該第１係合突部２６６の第２ボディ２６４側（矢印Ａ方向）へと変位する。この際、弾性部２８６は、その弾発力によって前記第１係合突部２６６を乗り越えた後に、第２係合突部２８８がケーシング２５２の内壁面側に向かって付勢され、前記第２係合突部２８８と第１係合突部２６６とが軸線方向に係合される。これにより、穿刺ユニット２５４のケーシング２５２に対する軸線方向に沿った相対変位が規制される。この際、穿刺ユニット２５４のノブ２７４が、ケーシング２５２における穿刺ユニット２５４の突部２７２と対向して当接した状態となる。
【０１４１】
すなわち、穿刺ユニット２５４には、圧縮された穿刺スプリング１８８の弾発力が穿刺針チップ２５６側（矢印Ｂ方向）に向かって付与された状態（チャージ状態）で係止されている。
【０１４２】
最後に、図２１に示されるように、穿刺針チップ２５６を構成するハブホルダ２７８に装着されたキャップ２９２を、該ハブホルダ２７８の端部から離間させるように取り外すことにより、測定者の皮膚を穿刺可能な穿刺準備状態となる。この際、穿刺ユニット２５４は、第２係合突部２８８が第１係合突部２６６に対して係合されて軸線方向への変位が規制されているため変位することがない。
【０１４３】
そして、穿刺針チップ２５６が装着された穿刺装置２５０において、図示しない測定者の皮膚（例えば、指先）に対してハブホルダ２７８の端部を押し当てた状態で穿刺ボタン２６８を押圧する。これにより、穿刺ボタン２６８の突部２７２が穿刺ユニット２５４の弾性部２８６のノブ２７４を該穿刺ユニット２５４側に押圧し、前記弾性部２８６が撓むことによって第１係合突部２６６と第２係合突部２８８との係合が解除される。これにより、穿刺ユニット２５４が、穿刺スプリング１８８の弾発作用下に穿刺針チップ２５６側（矢印Ｂ方向）に変位し、穿刺針１８によって測定者が穿刺される。
【０１４４】
すなわち、穿刺装置２５０では、測定者が穿刺針チップ２５６を装着する際、その押圧力を利用して、該穿刺針チップ２５６に装着されたキャップ２９２のピン部３００が、穿刺ユニット２５４を凸部３０２を介して第２ボディ２６４側（矢印Ａ方向）に変位させ、該穿刺スプリング１８８を圧縮させている。このように、キャップ２９２を介して直接穿刺ユニット２５４を変位させる構成としているため、前記キャップ２９２に付与された押圧力が穿刺ユニット２５４に直接伝わり穿刺スプリング１８８を確実に圧縮することが可能となる。その結果、穿刺ユニット２５４を穿刺針チップ２５６側に変位させるための駆動力を確実且つ簡便にチャージすることができる。
【０１４５】
また、チャージ機構を構成するキャップ２９２のピン部３００が、穿刺針１８を内包する穿刺針チップ２５６と別個の構成としているため、前記穿刺針チップ２５６を装着してチャージを行う際に、前記押圧力が前記穿刺針１８に作用することがない。
【０１４６】
さらに、穿刺針チップ２５６をケーシング２５２に対して装着する際に、キャップ２９２を穿刺針チップ２５６から取り外すまで、ピン部３００によって穿刺ユニット２５４の穿刺針チップ２５６側（矢印Ｂ方向）への変位が規制されるため、前記穿刺ユニット２５４が誤って穿刺針チップ２５６側に移動することがない。
【０１４７】
また、穿刺針チップ２５６は使用時にキャップ２９２が取り外されるので、使用後に前記キャップ２９２が取り外された前記穿刺針チップ２５６を、再び穿刺装置２５０に対して装着しても付勢手段をチャージすることができないため、使用済みとなった穿刺針チップ２５６の再使用を防止することができる。
【０１４８】
なお、本発明に係る穿刺装置及び血液成分測定装置は、上述の実施の形態に限らず、本発明の要旨を逸脱することなく、種々の構成を採り得ることはもちろんである。
【図面の簡単な説明】
【０１４９】
【図１】本発明の実施の形態に係る血液成分測定装置と血液測定用チップを示す全体斜視図である。
【図２】図１の血液成分測定装置の一部切欠断面斜視図である。
【図３】図１の血液成分測定装置における一部分解斜視図である。
【図４】図１の血液測定用チップの分解斜視図である。
【図５】図１の血液成分測定装置と血液測定用チップを示す概略横断面図である。
【図６】図１の血液成分測定装置と血液測定用チップを示す縦断面図である。
【図７】図１の血液成分測定装置に対して血液測定用チップが途中まで挿入された状態を示す概略横断面図である。
【図８】図７に示す血液成分測定装置を示す縦断面図である。
【図９】図７の血液測定用チップがさらにブロック部側に押し込まれた状態を示す概略横断面図である。
【図１０】図９の血液測定用チップがストッパ機構のロッドキャップを押圧し、ロッドスプリングが圧縮された状態を示す概略横断面図である。
【図１１】図１０に示す血液成分測定装置の縦断面図である。
【図１２】図１０の血液測定装置において、ロッドスプリングの弾発作用下にストッパブロックがケーシングのブロック孔から内部側に変位し、ケーシングに対するブロック部のロック状態が解除された状態を示す概略横断面図である。
【図１３】図１２の血液測定装置において、当接機構に装着されたキャップを離脱させた状態を示す概略横断面図である。
【図１４】図１３に示す血液成分測定装置の縦断面図である。
【図１５】本発明の実施の形態に係る穿刺針チップが離脱された状態を示す穿刺装置の全体斜視図である。
【図１６】図１５の穿刺装置の一部切欠断面斜視図である。
【図１７】図１６の穿刺装置に対して穿刺針チップが装着される前の状態を示す概略縦断面図である。
【図１８】図１７の穿刺装置において、穿刺針チップのハブが穿刺ユニットに保持された状態を示す概略縦断面図である。
【図１９】図１８の穿刺装置において、穿刺針チップに装着されたキャップのピン部が、穿刺ユニットの端部に当接した状態を示す概略縦断面図である。
【図２０】図１９の穿刺装置において、穿刺ユニットがキャップのピン部によって押圧され、第１及び第２係合突部を介して前記穿刺ユニットの穿刺針チップ側への変位が規制された係止状態を示す概略縦断面図である。
【図２１】図２０の穿刺装置において、穿刺針チップの装着作業が完了した後、前記穿刺針チップに装着されたキャップを離脱させた状態を示す概略縦断面図である。
【図２２】従来技術に係る血液成分測定装置に装着されるランセットを含むセンサの一部断面平面図である。
【図２３】図２２のランセットが装着された状態を示す血液成分測定装置の縦断面図である。
【符号の説明】
【０１５０】
１０…血液成分測定装置              １２、２５２…ケーシング
１４…ハウジング                    １６…ブロック部
１８…穿刺針                        ２０…血液測定用チップ
２２、２５４…穿刺ユニット          ２４…ストッパ機構
２６…ボタンユニット                ２８…チャージ機構
３６…ストッパブロック              ４６…ボタン部材
６４…ホルダ                        ６６…ヨーク
８０…スライダ                      ８４、２７８…ハブホルダ
８６…スライドシャフト              ９２…係止部材
１３０…回転シャフト                １３２…軸部
１３４…押え部                      １３６…ねじれ溝
１３８…当接部材                    １４０…ハブ
１４２…当接部                      １４４…試験紙
１４６…測定部                      １５４…チップボディ
１６４、２９２…キャップ            １６８…押圧ピン
１８２…導入部                      １８６…リターンスプリング
１８８…穿刺スプリング              １９２…ブロックスプリング
１９４…ストッパロッド              １９６…ロッドキャップ
１９８…ロッドスプリング            ２０２…凹部
２０８…係合部                      ２５０…穿刺装置
２５６…穿刺針チップ                ２６８…穿刺ボタン
２９８…封止部                      ３００…ピン部
【図１】
2007259954.tif 000003
【図２】
2007259954.tif 000004
【図３】
2007259954.tif 000005
【図４】
2007259954.tif 000006
【図５】
2007259954.tif 000007
【図６】
2007259954.tif 000008
【図７】
2007259954.tif 000009
【図８】
2007259954.tif 000010
【図９】
2007259954.tif 000011
【図１０】
2007259954.tif 000012
【図１１】
2007259954.tif 000013
【図１２】
2007259954.tif 000014
【図１３】
2007259954.tif 000015
【図１４】
2007259954.tif 000016
【図１５】
2007259954.tif 000017
【図１６】
2007259954.tif 000018
【図１７】
2007259954.tif 000019
【図１８】
2007259954.tif 000020
【図１９】
2007259954.tif 000021
【図２０】
2007259954.tif 000022
【図２１】
2007259954.tif 000023
【図２２】
2007259954.tif 000024
【図２３】
2007259954.tif 000025